【事件の表示】
　特願２０１７−　８８９２２「引出体、画像形成装置」拒絶査定不服審判事件〔平成２９年　８月２４日出願公開、特開２０１７−１４６６１３、請求項の数（４）〕について、次のとおり審決する。
【結　論】
　原査定を取り消す。
　本願の発明は、特許すべきものとする。
【理　由】
第１　手続の経緯
　本願は、平成２５年１０月７日に出願した特願２０１３−２１０３６８号の一部を平成２９年４月２７日に特願２０１７−８８９２２号として出願したものであって、その手続の経緯は以下のとおりである。
　平成２９年１０月２４日付け：拒絶理由通知書
　平成２９年１２月２６日　　：手続補正書の提出
　平成３０年１月２９日付け　：拒絶査定
　平成３０年４月２６日　　　：審判請求書の提出
　平成３０年１０月５日付け　：拒絶理由通知書
　平成３０年１２月１０日　　：手続補正書の提出
第２　原査定の概要 
　原査定（平成３０年１月２９日付け拒絶査定）の拒絶の理由の概要は次のとおりである。 
　この出願の各請求項に係る発明は、以下の引用文献１〜３に基づいて、当業者が容易に発明できたものであるから、特許法第２９条第２項の規定により特許を受けることができない。
引用文献等
　１．特開平７−３２５５３９号公報
　２．特開２０１１−４８２６０号公報
　３．特開平１１−２５８９６９号公報
第３　当審拒絶理由の概要
　平成３０年１０月５日付けの当審拒絶理由の概要は、以下のとおりである。
　本件出願は、特許請求の範囲の記載が不備のため、特許法第３６条第６項第１号に規定する要件を満たしていない。 
 
第４　本願発明 
　本願請求項１〜４に係る発明（以下、それぞれ「本願発明１」〜「本願発明４」という。）は、平成３０年１２月１０日付けの手続補正で補正された特許請求の範囲の請求項１〜４に記載された事項により特定される発明であり、本願発明１〜４は以下のとおりの発明である。 
「【請求項１】
　回転軸に沿って回転する回転体を備え、前記回転体の回転に伴って画像を記録媒体に加熱定着する定着部と、
　前記回転体の幅に亘って設けられ、前記定着部によって加熱された空気を第１の流入口から流通させ、前記回転軸に沿った第１の空気流として流通させる第１流通路と、
　前記回転体の幅に亘って設けられ、前記第１流通路で流通する空気より低い温度の空気を流通させるように前記第１の流入口とは別の第２の流入口から空気を取り込み、前記第１流通路から分離された空間で、前記回転軸に沿った第２の空気流として流通させる第２流通路と、
　内部に前記定着部を収容すると共に、前記第１流通路と前記第２流通路を構成する壁部を有し、画像形成装置本体に対して一体に引き出し可能とされた引出体と、
　を備え、
　前記壁部は、前記回転軸に沿った方向において、前記第２の空気流が前記第１の空気流全体よりも上側を流れるように、前記第１流通路と前記第２流通路とを仕切る仕切り壁を備え、
　前記第２流通路は前記定着部の上側に位置するとともに、前記第２流通路を構成する壁部の一部は前記引出体の外壁の一部を構成している
　画像形成装置。
　　【請求項２】
　前記第１流通路、または、前記第２流通路は、前記壁部により複数の流通路に構成されている
　請求項１に記載の画像形成装置。
　　【請求項３】
　前記画像形成装置は、前記引出体を引き出すために開閉される開閉部を備え、前記第２の流入口は、前記開閉部側に設けられている
　請求項１または２のうちいずれか１項に記載の画像形成装置。
　　【請求項４】
　前記第１流通路および前記第２流通路を流通したそれぞれの空気は、合流した後に、前記画像形成装置の外部へ排出される
　請求項１乃至３のうちいずれか１項に記載の画像形成装置。」
第５　引用文献、引用発明等 
１　引用文献１について 
　上記引用文献１には、次の事項が記載されている。（下線は当審が付した。以下同じ。） 
（１）「【０００１】
【産業上の利用分野】本発明はトナー像を画像定着させる熱定着ユニットが組込まれた画像形成装置、例えば複写機、プリンタ、ファクシミリ、若しくはこれらを複合した
画像形成装置
ファンを用いることなく装置内の昇温を回避し得る
（２）「【００１４】プロセスユニット取付け空間１Ｃはボード取付け空間１Ｂを仕切る仕切り壁１Ｄの上面側に記録紙搬送路１０を形成するとともに、該搬送路１０入口端側１０ａより搬送路１０に沿って給紙ガイドローラ１８、レジストローラ対４、転写ローラ５と感光体ドラム６、及び熱定着ユニット７が配設されており、給紙カセット２と一体化された手差し給紙部３４、給紙カセット２、若しくは不図示の給紙ユニットより給送された
記録紙
熱定着ユニット７の熱定着ローラ対７０を挿通させて画像定着を行った
【００１５】尚、
熱定着ユニット７は、図３に示すように上側にヒートローラ７０ａ、下側に圧力ローラ７０ｂからなる定着ローラ対７０と、前記ヒートローラ７０ａの上側空間を囲繞する矩形状の上側ハウジング７１
からなり
（３）「【００２４】次に排紙ガイド４０の構成について図１及び図３に基づいて説明する。
排紙ガイド４０は
格子状のダクト空間４１Ａ、４１Ｂを形成する垂直連接板４０２と
を有し
【００２５】そしてかかる実施例によれば、
熱定着ユニット７のヒートローラ７０ａによって上側ハウジング７１が加温されるが、
該加温された熱気が
上側ハウジング７１上方に位置する開口部４２Ａより前記ダクト４１Ａを通って固定壁２３のスリット開口２３３より機外に放気されて上昇気流Ａを作る。又熱定着ユニット７入口側の発熱空気も前記通路３０Ｂを通って前記ダクト４１Ａに導かれ、同様にスリット開口２３３より機外に放気されて上昇気流Ａを作る
【００２６】
そして低気圧の原理により前記上昇気流Ａの放出により熱定着ユニット７の入口側の気圧が低下し、遮蔽壁３０と記録紙搬送面間の空隙３０Ａを介してドラムユニット６０側より冷気が流れ、結果としてドラムユニット６０周囲→空隙３０Ａ→熱定着ユニット上面通路３０Ｂ、４２Ａ→ダクト通路４１Ａ→スリット開口２３３の空気の流れも併せて作る事が出来る
（４）「【００２８】
又前記ユニットの出口側上方にもダクト開口部４２Ｂが位置しているために、ヒートローラ７０ａにより加熱され出口側に流れた熱気がダクト開口部４２Ｂより前記ダクト４１Ｂ内に導入され、ダクト通路４１Ｂを通って固定壁２３のスリット開口２３３より機外に放気されて上昇気流Ａを作る
【００２９】そして
前記ユニット出口側の上昇気流Ａにより、ユニット出口側の気圧が低下し、その部分に冷気が流入するために、画像熱定着直後の記録紙が冷やされる
（５）図１〜３を参照すると、
ダクト空間４１Ａは、熱定着ユニット７の上側に位置する
格子状のダクト空間４１Ａ、４１Ｂを形成する垂直連接板４０２には、ダクト空間４１Ａとダクト空間４１Ｂとを仕切る垂直連接板４０２が存在する
　上記（１）〜（５）を総合すると、引用文献１には、以下の発明（以下、「引用発明１」という。）が記載されている。 
「上側にヒートローラ、下側に圧力ローラからなる定着ローラ対と、ヒートローラの上側空間を囲繞する矩形状の上側ハウジングと、を少なくとも有する熱定着ユニットであって、記録紙を熱定着ローラ対に挿通させて画像定着を行う熱定着ユニットを備え、　
　排紙ガイドは、格子状のダクト空間４１Ａ、４１Ｂを形成する垂直連接板を少なくとも有し、
　格子状のダクト空間４１Ａ、４１Ｂを形成する垂直連接板には、ダクト空間４１Ａとダクト空間４１Ｂとを仕切る垂直連接板が存在し、
　ダクト空間４１Ａは、熱定着ユニットの上側に位置し、
　熱定着ユニットのヒートローラによって上側ハウジングが加温され、加温された熱気は、上側ハウジング上方に位置する開口部よりダクト４１Ａを通って固定壁のスリット開口より機外に放気されて上昇気流を作り、
　熱定着ユニット入口側の発熱空気も通路を通ってダクト４１Ａに導かれ、同様にスリット開口より機外に放気されて上昇気流を作り、
　低気圧の原理により上昇気流の放出により熱定着ユニットの入口側の気圧が低下し、遮蔽壁と記録紙搬送面間の空隙を介してドラムユニット側より冷気が流れ、ドラムユニット周囲から、空隙、熱定着ユニット上面通路、開口部、ダクト通路４１Ａ、スリット開口への空気の流れを作ることができ、
　ユニットの出口側上方にもダクト開口部が位置しているために、ヒートローラにより加熱され出口側に流れた熱気がダクト開口部よりダクト４１Ｂ内に導入され、ダクト通路４１Ｂを通って固定壁のスリット開口より機外に放気されて上昇気流を作り、ユニット出口側の上昇気流により、ユニット出口側の気圧が低下し、その部分に冷気が流入するために、画像熱定着直後の記録紙が冷やされる、
　ファンを用いることなく装置内の昇温を回避し得る画像形成装置。」
２　引用文献２について 
　上記引用文献２には、次の事項が記載されている。
「【００５３】
  図３及び図４は、本発明に係る
画像形成装置
  図３に示すように、
画像形成装置本体１００の外面には、開閉可能な扉３７が設けてある
扉３７を開放することによって、開放された箇所から、収容された引出部３８（引出ユニット）を引き出し可能に構成されている
【００５４】
  図５に示すように、
上記引出部３８には定着装置８が設けられている。このように、定着装置８を画像形成装置本体１００の外部に引き出せるように構成することによって、メンテナンス作業や紙詰まり処理を行いやすくしている
　上記記載から、引用文献２には、以下の発明（以下、「引用発明２」という。）が記載されている。 
「画像形成装置本体の外面には、開閉可能な扉が設けてあり、
　扉を開放することによって、開放された箇所から、収容された引出部が引き出し可能に構成されており、
　引出部には定着装置が設けられており、
　定着装置を画像形成装置本体の外部に引き出せるように構成することによって、メンテナンス作業や紙詰まり処理を行いやすくしている、
　画像形成装置。」
３　引用文献３について 
　上記引用文献３には、次の事項が記載されている。
（１）「【０００１】
【発明の属する技術分野】この発明は、複写機・プリンタ・ファクシミリやそれらの複合機など、像担持体上に帯電・書込み・現像・クリーニングなどを行って繰返し画像を形成し、その画像を転写して用紙等の記録媒体に順次記録を行う電子写真式の画像形成装置に適用し得る。詳しくは、そのうち、像担持体を引出体内に収納し、その引出体を装置本体内に出し入れ自在に備える画像形成装置に関する。」
（２）「【００２８】そして、このような
像担持体ユニット５３は、図５に示すように、現像ユニット１４とともに、引出体５７内に取り出し可能に収納する
【００２９】引出体５７は、前後の側板５８・５９を、その上部両側間に掛け渡して平行に設ける左右のステー６１・６１と、上部中央間に掛け渡す上ステー６０と、図示省略するが、下部中央間に掛け渡す下ステーとで連結して構成してなる。
【００３０】さて、そのような引出体５７の左右ステー６１には、図４（Ａ）に示すように、間隔をあけて下向きの切欠き６１ａを設ける。一方、装置本体１０側のスライドレール６７には、同じく図４（Ａ）に示すように、同じ間隔をあけて、細径の首部を有する掛止突起６７ａを設ける。
【００３１】そして、図４（Ｂ）に示すように、切欠き６１ａ内に掛止突起６７ａの首部を入れてスライドレール６７にステー６１を掛け止め、図３に示すように、
装置本体１０内に対向して設ける２つのスライドレール６７間に引出体５７を取り付け、装置本体１０内から図示のように引き出せるようにする
（３）「【００３３】ところで、上述したカラー複写機において、
引出体５７には、その中を通気すべく、図１に示すように、像担持体ユニット５３の背後で後側板５９に点線で示す排気口７３を設ける一方、像担持体ユニット５３の手前で前側板５８に送風装置７５を取り付けてなる
【００３４】
送風装置７５は、その箱形ケース７６内に吸気ファン７７を備え、その手前の正面側にエアフィルタ７８を上方に取り出し可能に収納してなる。そして、箱形ケース７６の片側側面の上下に、それぞれ送風ダクト７９・８０の基端を接続してなる
【００３５】そのうち
上送風ダクト７９は
その先端開口側を、抜き差し孔５５ｂの孔縁寄りを通って引出体５７内に挿入してなる。そして、図２に示すように帯電装置１３の周りに形成する空気通路８２に、先端開口を入り込ませてなる。空気通路８２は、帯電装置１３の上側を、上記ユニットケース５２で支持する断面コ状のダクトカバー８３で被って形成してなる。
【００３６】
下送風ダクト８０は
直線部８０ｃとで形成する
【００３７】入口部８０ａおよび中間部８０ｂは、１つの樹脂製パイプで一体に形成してなる。
直線部８０ｃは、たとえば断面く字状の折曲板材８４の像担持体１２側の開放部分を細長い板カバー８５で塞いでパイプ状に形成する
【００３８】なお、
直線部８０ｃ内には、
前記トナー濃度検知センサ５１を取り付けてなる。一方、板カバー８５には、トナー濃度検知センサ５１の検知面と対向する位置に、気流の吹出口を兼ねる小さな検知窓８５ａを設けてなる
【００３９】さて、上述した図示カラー複写機では、電源の投入により送風装置７５を駆動して吸気ファン７７を回転すると、その吸気ファン７７の回転により引出体５７内に図２中矢示するような空気の流れを生ずる。
【００４０】そして、
エアフィルタ７８を通して空気を取り入れる一方、上送風ダクト７９と空気通路８２を通して上記排気口７３から排出するとともに、下送風ダクト８０を通して検知窓８５ａから吹き出し、さらに上記排気口７３から排出する空気の流れをつくり、その気流に沿って引出体５７内の通気を行う
【００４１】
このとき、帯電装置１３まわりのオゾンも、滞留することなく気流により排出する。また、下送風ダクト８０を通る気流により、トナー濃度検知センサ５１に付着したトナーや紙粉等の汚れを除去して排出する
　上記（１）〜（３）を総合すると、引用文献３には、以下の発明（以下、「引用発明３」という。）が記載されている。
「像担持体ユニットと現像ユニットが、引出体内に取り出し可能に収納され、
　装置本体内に対向して設ける２つのスライドレール間に引出体を取り付け、装置本体内から引き出せるようにし、
　引出体には、その中を通気すべく、像担持体ユニットの背後で後側板に排気口が設けられる一方、像担持体ユニットの手前で前側板に送風装置が取り付けられており、
　送風装置は、その箱形ケース内に吸気ファンを備え、その手前の正面側にエアフィルタを上方に取り出し可能に収納しており、箱形ケースの片側側面の上下に、それぞれ上送風ダクト及び下送風ダクトの基端が接続されており、
　上送風ダクトの先端開口を帯電装置の周りに形成する空気通路に入り込ませて、空気通路は、帯電装置の上側を、ユニットケースで支持する断面コ状のダクトカバーで被って形成されており、
　下送風ダクトの直線部は、断面く字状の折曲板材の像担持体側の開放部分を細長い板カバーで塞いでパイプ状に形成されたものであって、直線部内にはトナー濃度検知センサが取り付けられており、板カバーには、トナー濃度検知センサの検知面と対向する位置に、気流の吹出口を兼ねる小さな検知窓が設けられており、
　エアフィルタを通して空気を取り入れる一方、上送風ダクトと空気通路を通して排気口から排出するとともに、下送風ダクトを通して検知窓から吹き出し、さらに排気口から排出する空気の流れをつくり、その気流に沿って引出体内の通気を行い、
　このとき、帯電装置まわりのオゾンも、滞留することなく気流により排出され、下送風ダクトを通る気流により、トナー濃度検知センサに付着したトナーや紙粉等の汚れを除去して排出する、
　画像形成装置。」
第６　対比・判断
１　本願発明１について 
（１）　対比 
　本願発明１と引用発明１とを対比する。 
ア　引用発明１における、「上側にヒートローラ、下側に圧力ローラからなる定着ローラ対」を有し、「記録紙を熱定着ローラ対に挿通させて画像定着を行う熱定着ユニット」は、本願発明１の、「回転軸に沿って回転する回転体を備え、前記回転体の回転に伴って画像を記録媒体に加熱定着する定着部」に相当する。
イ　引用発明１における、「ヒートローラにより加熱され出口側に流れた熱気」を「ユニットの出口側上方」の「ダクト開口部」より導入し、「ヒートローラにより加熱され出口側に流れた熱気」、及び、（ユニット出口側に流入した）「冷気」、からなる空気を通す「ダクト４１Ｂ」と、本願発明１の、「前記回転体の幅に亘って設けられ、前記定着部によって加熱された空気を第１の流入口から流通させ、前記回転軸に沿った第１の空気流として流通させる第１流通路」とは、「前記定着部によって加熱された空気を第１の流入口から流通させ、第１の空気流として流通させる第１流通路」との概念で共通する。
ウ　引用発明１における、「熱定着ユニットのヒートローラによって上側ハウジングが加温され、加温された熱気」、「熱定着ユニット入口側の発熱空気」、及び、「ドラムユニット側」より流れた「冷気」からなる空気を「上側ハウジング上方に位置する開口部」より通す「ダクト４１Ａ」と、本願発明１の、「前記回転体の幅に亘って設けられ、前記第１流通路で流通する空気より低い温度の空気を流通させるように前記第１の流入口とは別の第２の流入口から空気を取り込み、前記第１流通路から分離された空間で、前記回転軸に沿った第２の空気流として流通させる第２流通路」とは、「前記第１の流入口とは別の第２の流入口から空気を取り込み、前記第１流通路から分離された空間で、第２の空気流として流通させる第２流通路」との概念で共通する。
エ　引用発明１の、「格子状のダクト空間４１Ａ、４１Ｂを形成する垂直連接板」は、本願発明１の「前記第１流通路と前記第２流通路を構成する壁部」に相当する。
オ　引用発明１の、「垂直連接板」には「ダクト空間４１Ａとダクト空間４１Ｂとを仕切る垂直連接板」が存在する点と、本願発明１の、「前記壁部は、前記回転軸に沿った方向において、前記第２の空気流が前記第１の空気流全体よりも上側を流れるように、前記第１流通路と前記第２流通路とを仕切る仕切り壁を備え」る点とは、「前記壁部は、前記第１流通路と前記第２流通路とを仕切る仕切り壁を備え」る点において共通する。
カ　引用発明１の、「ダクト空間４１Ａは、熱定着ユニットの上側に位置」する点と、本願発明１の「前記第２流通路は前記定着部の上側に位置するとともに、前記第２流通路を構成する壁部の一部は前記引出体の外壁の一部を構成している」点とは、「前記第２流通路は前記定着部の上側に位置する」点において共通する。
キ　引用発明１の「画像形成装置」は、本願発明１の「画像形成装置」に相当する。
　したがって、本願発明１と引用発明１との間には、次の一致点、相違点がある。 
（一致点）
「回転軸に沿って回転する回転体を備え、前記回転体の回転に伴って画像を記録媒体に加熱定着する定着部と、
　前記定着部によって加熱された空気を第１の流入口から流通させ、第１の空気流として流通させる第１流通路と、
　前記第１の流入口とは別の第２の流入口から空気を取り込み、前記第１流通路から分離された空間で、第２の空気流として流通させる第２流通路と、
　前記第１流通路と前記第２流通路を構成する壁部と、
　を備え、
　前記壁部は、前記第１流通路と前記第２流通路とを仕切る仕切り壁を備え、
　前記第２流通路は前記定着部の上側に位置する、
　画像形成装置。」
（相違点１）
  「第１流通路」について、本願発明１では、「前記回転体の幅に亘って設けられ」ているのに対し、引用発明１の「ダクト４１Ｂ」は、定着ローラ対の幅に亘って設けられているとは明記されていない点。
（相違点２）
　「第１流通路」について、本願発明１では、定着部によって加熱された空気を「前記回転軸に沿った」第１の空気流として流通させるものであるのに対し、引用発明１では、「ダクト４１Ｂを通」る、「ヒートローラにより加熱され出口側に流れた熱気」、及び、（ユニット出口側に流入した）「冷気」からなる空気は、回転軸に沿って流通しない点。
（相違点３）
　「第２流通路」について、本願発明１では、「前記回転体の幅に亘って設けられ」ているのに対し、引用発明１の「ダクト４１Ａ」は、定着ローラ対の幅に亘って設けられているとは明記されていない点。
（相違点４）
　「第２流通路」について、本願発明１では、「前記第１流通路で流通する空気より低い温度の空気を流通させる」ものであるのに対し、引用発明１では、「ダクト４１Ｂを通」る、「ヒートローラにより加熱され出口側に流れた熱気」、及び、（ユニット出口側に流入した）「冷気」からなる空気の温度と、「ダクト４１Ａを通」る、「熱定着ユニットのヒートローラによって上側ハウジングが加温され、加温された熱気」、「熱定着ユニット入口側の発熱空気」、及び、「ドラムユニット側」より流れた「冷気」、からなる空気の温度、の大小関係は不明である点。
（相違点５）
　「第２流通路」について、本願発明１では、「前記回転軸に沿った」第２の空気流として流通させるものであるのに対し、 引用発明１では、「ダクト４１Ａを通」る、「熱定着ユニットのヒートローラによって上側ハウジングが加温され、加温された熱気」、「熱定着ユニット入口側の発熱空気」、及び、「ドラムユニット側」より流れた「冷気」、からなる空気は、回転軸に沿って流通しない点。
（相違点６）
　本願発明１は、「内部に前記定着部を収容すると共に、前記第１流通路と前記第２流通路を構成する壁部を有し、画像形成装置本体に対して一体に引き出し可能とされた引出体」を備えているのに対し、引用発明１においては、「格子状のダクト空間４１Ａ、４１Ｂを形成する垂直連接板」は存在するものの、そのような垂直連接板を有し、内部に熱定着ユニットを収容し、画像形成装置本体に対して一体に引き出し可能とされた「引出体」を有していない点。
（相違点７）
　本願発明１は「前記壁部は、前記回転軸に沿った方向において、前記第２の空気流が前記第１の空気流全体よりも上側を流れるように、前記第１流通路と前記第２流通路とを仕切る仕切り壁を備え」ているのに対し、引用発明１では、「ダクト空間４１Ａとダクト空間４１Ｂとを仕切る垂直連接板」は、回転軸に沿った方向において、ダクト空間４１Ａを通る、「熱定着ユニットのヒートローラによって上側ハウジングが加温され、加温された熱気」、「熱定着ユニット入口側の発熱空気」、及び、「ドラムユニット側」より流れた「冷気」、からなる空気流が、「ダクト４１Ｂを通」る、「ヒートローラにより加熱され出口側に流れた熱気」、及び、（ユニット出口側に流入した）「冷気」からなる空気流全体よりも上側を流れるようにするものではない点。
（相違点８）
　本願発明１は「前記第２流通路を構成する壁部の一部は前記引出体の外壁の一部を構成している」のに対し、引用発明１はそのような構成を有しない点。
（２）相違点についての判断
　本願発明１の課題、すなわち、「画像形成装置本体から引き出した引出体に対して作業する際に、引出体の外表面の温度が予め定められた温度以下になるまでの時間を短時間にする」（本願明細書の段落【０００４】）という課題に鑑み、当該課題に対応する、上記相違点４、６〜８に係る本願発明１の発明特定事項を一体の構成として検討する。
　引用発明２〜３のいずれも、第１流通路と第２流通路を構成する壁部を有した引出体を備え、その引出体において、第２流通路を第１流通路で流通する空気より低い温度の空気を流通させるようにし、回転軸に沿った方向において、第１流通路と第２流通路とを仕切る仕切り壁を、第２の空気流が第１の空気流全体よりも上側を流れるように構成し、（定着部の上側に位置する）第２流通路を構成する壁部の一部が引出体の外壁の一部であるような構成を有していないことは明らかである。
　また、上記相違点４、６〜８に係る本願発明１の発明特定事項が当業者にとって設計事項であるとする根拠もない。
　また、上記相違点４単独で検討しても、引用発明２〜３のいずれも、第１流通路で流通する空気より低い温度の空気を流通させる第２流通路を有していないことは明らかであり、上記相違点４に係る本願発明１の発明特定事項が、当業者にとって設計事項であるとする根拠もない。
　
　したがって、他の相違点について検討するまでもなく、本願発明１は、引用発明１ないし３に基づいて、当業者が容易に発明をすることができたものとはいえない。
２　本願発明２〜４について 
　本願発明２〜４は本願発明１を減縮した発明であるから、本願発明１と同様の理由により、当業者であっても、引用発明１ないし３に基づいて、当業者が容易に発明をすることができたものとはいえない。
第７　原査定について 
　原査定の拒絶の理由の概要は上記「第２」のとおりであるが、上記「第５」〜「第６」のとおりであるから、本願発明１〜４は、引用発明１ないし３に基づいて、当業者が容易に発明をすることができたものとはいえない。 
　したがって、原査定の理由を維持することはできない。 
第８　当審拒絶理由通知について
１　平成３０年１０月５日付けの当審拒絶理由通知では、本件出願は、特許請求の範囲の記載が不備のため、特許法第３６条第６項第１号に規定する要件を満たしていない、との拒絶の理由を通知している。
２　具体的には、以下のとおりである。
（１）本願発明１の課題について 
　本願明細書の発明の詳細な説明（段落【０００４】）によれば、本願発明１の課題は、「画像形成装置本体から引き出した引出体に対して作業する際に、引出体の外表面の温度が予め定められた温度以下になるまでの時間を短時間にすること」であると認められる。 
（２）発明の詳細な説明の記載について 
　発明の詳細な説明（特に、段落【００５５】〜【００５６】、【００６４】〜【００７２】等）を参照すると、本願発明１の課題が解決される前提として、「第２流通路」は「第１流通路」よりも外壁側に位置していることが必要であるといえる。 
（３）サポート要件についての判断 
　本願発明１においては、 
「前記回転体の幅に亘って設けられ、前記定着部によって加熱された空気を第１の流入口から流通させ、前記回転軸に沿った第１の空気流として流通させる第１流通路と、 
　前記回転体の幅に亘って設けられ、前記第１流通路で流通する空気より低い温度の空気を流通させるように前記第１の流入口とは別の第２の流入口から空気を取り込み、前記第１流通路から分離された空間で、前記回転軸に沿った第２の空気流として流通させる第２流通路と、 
　内部に前記定着部を収容すると共に、前記第１流通路と前記第２流通路を構成する壁部を有し、画像形成装置本体に対して一体に引き出し可能とされた引出体と、 
　を備え、 
　前記壁部は、前記回転軸に沿った方向において、前記第２の空気流が前記第１の空気流全体よりも上側を流れるように、前記第１流通路と前記第２流通路とを仕切る仕切り壁を備える」 
となっているが、この特定では、必ずしも、（第１流通路で流通する空気より低い温度の空気を流通させる）「第２流通路」は、「第１流通路」よりも外壁側に位置していないから、引出体の外表面の温度が予め定められた温度以下になるまでの時間を短時間にすることができない、すなわち、本願発明１の課題を解決できないことになる（例えば、「第１流通路」及び「第２流通路」が、「定着部」の下側に位置する場合、「第２の空気流が第１の空気流全体よりも上側を流れる」ためには、「第１流通路」が外壁側に位置することになり、本願発明１の課題を解決できない。）。 
　してみると、本願発明１は、当業者が発明の詳細な説明の記載から、本願発明１の課題である「画像形成装置本体から引き出した引出体に対して作業する際に、引出体の外表面の温度が予め定められた温度以下になるまでの時間を短時間にすること」を解決し得ると認識し得る範囲のものとはいえない。　 
　請求項２〜４に係る発明についても同様である。 
３　しかしながら、平成３０年１２月１０日付けの手続補正で、請求項１は「第４」のとおり補正されており、上記拒絶の理由は解消した。　
第９　むすび 
　以上のとおり、原査定の理由によっては、本願を拒絶することはできない。 
　また、他に本願を拒絶すべき理由を発見しない。 
　よって、結論のとおり審決する。